(57)【要約】【課題】  補聴器のコイルのために必要な取り付け空間をさらに小さくする。【解決手段】  ハウジングＨＧ、ＩＧと、電磁エネルギーないしデータの伝送のための高周波アンテナや電気コイルＨＡ、ＳＩ、ＳＵを有する補聴器において、高周波アンテナや電気コイルＨＡ、ＳＩ、ＳＵがハウジングＨＧ、ＩＧの材料中に又はハウジングＨＧ、ＩＧに導電膜として形成され、ハウジングがアンテナのための支持材として使用され、それにより例えばプリント板上にアンテナのために設けるべき場所を省略することができる。【選択図】図１
2005304038.tif 000002
【特許請求の範囲】
【請求項１】
ハウジング（ＨＧ、ＩＧ）と、電磁エネルギー及びデータ又はそのいずれか一方の伝送のための高周波アンテナ及び電気コイル（ＨＡ、ＳＩ、ＳＵ）又はそのいずれか一方とを有する補聴器において、高周波アンテナ及び電気コイル（ＨＡ、ＳＩ、ＳＵ）又はそのいずれか一方がハウジング（ＨＧ、ＩＧ）の材料中に又はハウジング（ＨＧ、ＩＧ）に導電膜として形成されていることを特徴とする補聴器。
【請求項２】
導電膜があとから構造化された金属被覆によって形成されることを特徴とする請求項１記載の補聴器。
【請求項３】
導電膜がハウジング（ＨＧ、ＩＧ）の内側又は外側に構造化された金属膜として設けられていることを特徴とする請求項１記載の補聴器。
【請求項４】
導電膜がハウジング（ＨＧ、ＩＧ）中に流し込まれていることを特徴とする請求項１記載の補聴器。
【請求項５】
導電膜が導電性の合成物質材料からなることを特徴とする請求項１記載の補聴器。
【請求項６】
ハウジング（ＨＧ、ＩＧ）中又はハウジング（ＨＧ、ＩＧ）に導電膜の複数の層が積み重ねて配置されていることを特徴とする請求項１〜５のいずれか１つに記載の補聴器。
【請求項７】
コイル（ＳＵ）がハウジング部分をその縦軸の周りに取り巻く導体として形成されていることを特徴とする請求項１〜６のいずれか１つに記載の補聴器。
【請求項８】
ハウジングが長手方向に分割され、各ハウジング半部に又はハウジング半部中にアンテナ導体膜ないしコイル導体膜の一部が形成されていることを特徴とする請求項７記載の補聴器。
【発明の詳細な説明】
【技術分野】
【０００１】
本発明は、ハウジングと、電磁エネルギー及びデータ又はそのいずれか一方の伝送のための高周波アンテナ及び電気コイル又はそのいずれか一方とを有する補聴器に関する。
【背景技術】
【０００２】
補聴器については原則としてできるだけ小さく形成するように努力が払われている。他方において補聴器の機能性を高めるために、補聴器にできるだけ多くの電子機器構成要素を格納すべきである。それ故補聴器の小型化ないし装備は、とりわけ例えばレシーバーコイル、蓄電池充電コイル又は無線通信のための高周波アンテナの大きさによって制限される。
【０００３】
例えばコイルのような、所望の特性を持った必要な構成要素をできるかぎり小さくすることが同時に試みられ、その結果それらの構成要素は補聴器内でごく僅かの組み込み空間を必要とするだけである。そうして例えば補聴器電子機器のプリント板中に組み入れられた高周波アンテナが使用される。このようなプリント板上に印刷されたアンテナは知られている（例えば、非特許文献１参照）。
【０００４】
さらに、誘導コイルを持った埋め込み可能な補聴器が知られている（例えば、特許文献１、特許文献２参照）。それらの補聴器においては、コイルは各補聴器の外側範囲の流し込み物質中に埋め込まれている。その場合それぞれ多数の面内に複数ターンを有する伝統的なコイル構成が与えられる。
【０００５】
プログラミング可能な補聴器と送信及び受信ユニットとを有する補聴器システムが知られている（例えば、特許文献３参照）。この補聴器のハウジング中には送信及び受信ユニットのためにアンテナが配置されている。
【０００６】
さらに、誘導コイルを有し聴覚障害者のためのレシーバーカプセルが知られている。その誘導コイルはフランジでもってレシーバーカプセルに固定されている。
【０００７】
従来知られているコイルの欠点は、それらが依然としてかなり多く取り付け空間を必要とすることである。
【特許文献１】米国特許第4495917号明細書
【特許文献２】米国特許第6272382号明細書
【特許文献３】独国特許出願公開第10115896 A1号明細書
【特許文献４】独国特許第3443907号明細書
【非特許文献１】WHITE PAPER“λ/4 printed monopole antenna for 2.45GHz”Nordic VLSI ASA 2003年2月
【発明の開示】
【発明が解決しようとする課題】
【０００８】
従って本発明の課題は、補聴器のコイルのために必要な取り付け空間をさらに小さくすることにある。
【課題を解決するための手段】
【０００９】
本発明によればこの課題は、ハウジングと、電磁エネルギー及びデータ又はそのいずれか一方の伝送のための高周波アンテナ及び電気コイル又はそのいずれか一方とを有する補聴器において、高周波アンテナ及び電気コイル又はそのいずれか一方がハウジングの材料中に又はハウジングに導電膜として形成されることによって解決される。
【００１０】
本発明により、導電膜から形成されるコイルを補聴器ハウジングに取り付けることによって、又はハウジング内に組み込むことによって、補聴器の全体積はさらに減少される。これによって初めてかなりの補聴器に対し高周波システムを組み込む可能性が開かれる。
【００１１】
導電膜はあとから構造化された金属被覆によって形成されるのが有利である。それによって補聴器の金属被覆プロセスは極めて簡単に構成されることが可能となる。
【００１２】
しかしまた、導電膜を構造化された金属膜としてハウジングの内側又は外側に設けることも有利に可能である。それによって、場合によっては費用のかかる構造化を避けることができる。
【００１３】
アンテナ又はコイルを導電膜の形に作るための他の変型は、導電膜をハウジング内に流し込むことにある。それによってコイルないしアンテナは外からの機械的影響に対し安全に保護される。
【００１４】
導電膜はまた導電性の合成物質材料からなることもできる。それによってコイルないしアンテナを作る際に通常の合成物質製造プロセスを使用することができる。
【００１５】
アンテナ又はコイルはさらに、ハウジング内又はハウジングに導電膜の複数の層が積み重ねて配置されることによって形成されることも可能である。このようにして、特に高いインダクタンスが要求される場合に、空間的な与えられた状況を顧慮することができる。
【００１６】
コイルはさらに、ハウジングをその縦軸の周りに取り巻く導体として形成されることが可能である。耳後方型（HdO＝Hinter dem Ohr）補聴器の場合にはこのことは例えば、そのような耳介に平行に並べられたコイルがレシーバーコイルとして良好に使用され得るという利点を持つ。ハウジングを取り巻くそのようなコイルは、ハウジングが長手方向に分割されている場合にも使用することができる。この場合には、ハウジング半部の合成によって螺旋状のコイルが形成される。各他の導体構造も両ハウジング半部上にわたることができる。
【発明を実施するための最良の形態】
【００１７】
次に本発明を図面に示す実施例に基づき詳細に説明する。
【実施例】
【００１８】
本発明に相応して、任意の形に構造化された導体が補聴器ハウジング上に設けられる。これは、外部の影響による導体構造の損傷を避けるために、補聴器ハウジングの内側で行うのが好ましい。しかしまた、導体構造は補聴器ハウジングの外側上に設けることもでき、その場合にはその上に保護膜をかぶせることが推奨される。
【００１９】
補聴器ハウジングに本発明により形成された高周波アンテナの１つの例が図１に示されている。Ｌ状の高周波アンテナＨＡが金属膜として耳後方型補聴器のハウジングＨＧ上に設けられている。好ましい製造様式に従えば、高周波アンテナＨＡはあらかじめ形成された箔形成物として補聴器ハウジングＨＧ上に設けられるか、又は補聴器ハウジングＨＧの金属被覆のあとからの構造化により形成されている。それに代えて、高周波アンテナＨＡは、既に述べたように、補聴器ハウジングＨＧの射出成形中に導電性合成物質膜として所望の形に形成することができる。
【００２０】
本発明による補聴器の別の実施例が図２に示されている。そこに示されたコイルＳＵは螺旋状の性質を有し、図２でも耳後方型補聴器ハウジングＨＧとして示されているハウジングの周りに巻かれている。具体的にはコイルＳＵはハウジング部分内に形成されており、コイルＳＵの軸はこのハウジング部分の縦軸と一致している。この場合その軸ないし今問題になっているような縦軸は湾曲していてもよい。
【００２１】
本発明の第３の実施形態が図３に概略示されている。その際渦巻き状のアンテナＳＩが耳内型（IdO＝In dem Ohr）補聴器ハウジングＩＧの外方へ向く側に取り付けられている。この補聴器ハウジングＩＧはまた例えば図２に示されるようなコイル状のアンテナを円錐形のハウジング範囲に装備することも可能である。もちろん逆に耳後方型補聴器ハウジングが螺旋状のアンテナを備えることもできる。
【００２２】
導体の幾何学的形状を適切に選択することによって、導体層により作られる部品を各用途に最適に適合させることができる。それによって、利得、指向性及びインピーダンスをしかるべく制御することができる。同時に、ハウジング材料を誘電体として使用するため、導体膜の複数の層をシェル膜内に積み重ねることもできる。
【図面の簡単な説明】
【００２３】
【図１】本発明の第１の実施例によるアンテナを有する耳後方型補聴器の説明図である。
【図２】本発明の第２の実施例によるアンテナを有する耳後方型補聴器の説明図である。
【図３】本発明の第３の実施例によるアンテナを有する耳内型補聴器の説明図である。
【符号の説明】
【００２４】
ＨＡ  高周波アンテナ
ＨＧ  耳後方型補聴器ハウジング
ＳＵ  コイル
ＳＩ  アンテナ
ＩＧ  耳内型補聴器ハウジング
【図１】
2005304038.tif 000003
【図２】
2005304038.tif 000004
【図３】
2005304038.tif 000005